(57)【要約】【課題】貯湯タンク４が一つの場合では貯湯タンク４下部よりも上部の方が高温の湯であり、放熱しやすい高温側となる部分はより高い断熱性能が求められるという課題があった。【解決手段】右側面断熱材１５には、貯湯タンク４の上部を覆う右側面断熱材上部１５ａと貯湯タンク４の下部を覆う右側面断熱材下部１５ｂと、左側面断熱材１６には、貯湯タンク４の上部を覆う左側面断熱材上部１６ａと貯湯タンク４下部を覆う左側面断熱材下部１６ｂとを有し、右側面断熱材１５は、出湯管６に近い右側面断熱材上部１５ａと給水管５に近い右側面断熱材下部１５ｂで発泡倍率が異なり、左側面断熱材１６は、出湯管６に近い左側面断熱材上部１６ｂと給水管５に近い左側面断熱材下部１６ｂで発泡倍率が異なると共に、少なくとも出湯管６に近い上部の方が給水管５に近い下部よりも前記発泡倍率が低くなるように、異なる発泡倍率の断熱材を一体に成型したものとした。【選択図】図３
2017145968.tif 000002
【特許請求の範囲】
【請求項１】
加熱手段で加熱された温水を貯湯する少なくとも１つ以上の貯湯タンクと、前記貯湯タンク内の温水の放熱を防ぐ発泡プラスチック系の断熱材である前記貯湯タンクの右半分を覆う右側面断熱材と、左半分を覆う左側面断熱材と、上部を覆う上面断熱材と、下部を覆う下面断熱材と、前記貯湯タンク内に水を給水する前記貯湯タンク下部に接続された給水管と、前記貯湯タンク内の温水を出湯する前記貯湯タンク上部に接続された出湯管とを備えた貯湯式給湯機において、前記右側面断熱材には、前記貯湯タンクの上部を覆う右側面断熱材上部と前記貯湯タンクの下部を覆う右側面断熱材下部と、前記左側面断熱材には、前記貯湯タンクの上部を覆う左側面断熱材上部と前記貯湯タンクの下部を覆う左側面断熱材下部とを有し、前記右側面断熱材は、前記出湯管に近い前記右側面断熱材上部と前記給水管に近い前記右側面断熱材下部で発泡倍率が異なり、前記左側面断熱材は、前記出湯管に近い前記左側面断熱材上部と前記給水管に近い前記左側面断熱材下部で発泡倍率が異なると共に、少なくとも前記出湯管に近い上部の方が前記給水管に近い下部よりも前記発泡倍率が低くなるように、異なる発泡倍率の断熱材を一体に成型したものとしたことを特徴とする貯湯式給湯機。
【請求項２】
加熱手段で加熱された温水を貯湯する第一貯湯タンク及び第二貯湯タンクと、前記第一貯湯タンク及び第二貯湯タンクの右半分を覆う右側面断熱材と、左半分を覆う左側面断熱材と、上部を覆う上面断熱材と、下部を覆う下面断熱材と、前記第一貯湯タンク上部に接続された前記第一貯湯タンク内の湯を出湯する出湯管と、前記第二貯湯タンク下部に接続された前記第二貯湯タンクに水を給水する前記給水管と、前記第一貯湯タンク下部と前記第二貯湯タンク上部を接続するタンク接続管とを備え、温水の放熱を防ぐ発泡プラスチック系の前記右側面断熱材及び前記左側面断熱材には、前記第一貯湯タンクと前記第二の貯湯タンク間の熱交換を防止するためにタンク同士の間を覆うタンク間凸部をそれぞれに有した貯湯式給湯機において、前記右側面断熱材には、前記第一貯湯タンク側を覆う右側面断熱材前部と前記第二貯湯タンク側を覆う右側面断熱材後部と、前記左側面断熱材には、前記第一貯湯タンク側を覆う左側面断熱材前部と前記第二貯湯タンク側を覆う左側面断熱材後部とを有し、前記右側面断熱材は、前記右側面断熱材前部と前記右側面断熱材後部で前記断熱材の発泡倍率が異なり、前記左側面断熱材は、前記左側面断熱材前部と前記左側面断熱材後部で前記断熱材の発泡倍率が異なると共に、少なくとも右側面断熱材前部及び左側面断熱材前部の方が右側面断熱材及び左側面断熱材後部よりも発泡倍率が低くなるように、異なる発泡倍率の断熱材を一体に成型したものとしたことを特徴とする貯湯式給湯機。
【請求項３】
前記右側面断熱材の前記タンク間凸部は、前記右側面断熱材前部と略同一の発泡倍率の断熱材であり、前記右側面断熱材に一体に成型したものとし、前記左側面断熱材の前記タンク間凸部は、前記左側面断熱材前部と略同一の発泡倍率の断熱材であり、前記左側面断熱材に一体に成型したものとしたことを特徴とする請求項２記載の貯湯式給湯機。
【請求項４】
前記貯湯タンクの発泡倍率は、前記給水管から前記出湯管までの温水が流れる経路に沿って連続的に低くなっていくようにしたことを特徴とする請求項１から３のいずれか１項に記載の貯湯式給湯機。
【発明の詳細な説明】
【技術分野】
【０００１】
本発明は、貯湯式給湯機についての発明である。
【背景技術】
【０００２】
従来よりこの種の貯湯式給湯機に備えられた貯湯タンクは、断熱性に優れた発泡成型断熱材で覆われ、貯湯タンク内の温水の放熱を防いでいた。
【０００３】
また、二つの貯湯タンクを備えた貯湯式給湯機では、周囲を発泡成型断熱材で覆い、二つの貯湯タンク接触しないようにして、貯湯タンク同士の熱交換を防ぐと共に貯湯タンク内の温水の放熱を防いでいた（特許文献１）。
【先行技術文献】
【特許文献】
【０００４】
【特許文献１】特開２００６―３４９３２１号公報
【発明の概要】
【発明が解決しようとする課題】
【０００５】
しかし、貯湯タンクが一つの場合では貯湯タンク下部よりも上部の方が高温の湯であり、貯湯タンクが二つの場合では給水管が接続されている貯湯タンクよりも出湯管が接続されている貯湯タンクの方が高温の湯が貯湯されているので、放熱しやすい高温側となる部分はより高い断熱性能が求められるという課題があった。
【０００６】
また、貯湯タンクが二つの場合では、高温の温水が貯湯される側の貯湯タンクと比較的低温の温水が貯湯される貯湯タンクがあり、高温の温水が貯湯される側の貯湯タンクの断熱材を厚くしてしまうと、比較的低温側の貯湯タンクよりも高温の温水が貯湯される側の貯湯タンクの方の外形寸法が大きくなり、タンクユニットの設置面積が拡大してしまう問題があった。
【課題を解決するための手段】
【０００７】
本発明は上記課題を解決するため、加熱手段で加熱された温水を貯湯する少なくとも１つ以上の貯湯タンクと、前記貯湯タンク内の温水の放熱を防ぐ発泡プラスチック系の断熱材である前記貯湯タンクの右半分を覆う右側面断熱材と、左半分を覆う左側面断熱材と、上部を覆う上面断熱材と、下部を覆う下面断熱材と、前記貯湯タンク内に水を給水する前記貯湯タンク下部に接続された給水管と、前記貯湯タンク内の温水を出湯する前記貯湯タンク上部に接続された出湯管とを備えた貯湯式給湯機において、前記右側面断熱材には、前記貯湯タンクの上部を覆う右側面断熱材上部と前記貯湯タンクの下部を覆う右側面断熱材下部と、前記左側面断熱材には、前記貯湯タンクの上部を覆う左側面断熱材上部と前記貯湯タンクの下部を覆う左側面断熱材下部とを有し、前記右側面断熱材は、前記出湯管に近い前記右側面断熱材上部と記給水管に近い前記右側面断熱材下部で発泡倍率が異なり、前記左側面断熱材は、前記出湯管に近い前記左側面断熱材上部と記給水管に近い前記左側面断熱材下部で発泡倍率が異なると共に、少なくとも前記出湯管に近い上部の方が前記給水管に近い下部よりも前記発泡倍率が低くなるように、異なる発泡倍率の断熱材を一体に成型したものとした。
【０００８】
また、加熱手段で加熱された温水を貯湯する第一貯湯タンク及び第二貯湯タンクと、前記第一貯湯タンク及び第二貯湯タンクの右半分を覆う右側面断熱材と、左半分を覆う左側面断熱材と、上部を覆う上面断熱材と、下部を覆う下面断熱材と、前記第一貯湯タンク上部に接続された前記第一貯湯タンク内の湯を出湯する出湯管と、前記第二貯湯タンク下部に接続された前記第二貯湯タンクに水を給水する前記給水管と、前記第一貯湯タンク下部と前記第二貯湯タンク上部を接続するタンク接続管とを備え、温水の放熱を防ぐ発泡プラスチック系の前記右側面断熱材及び前記左側面断熱材には、前記第一貯湯タンクと前記第二の貯湯タンク間の熱交換を防止するためにタンク同士の間を覆うタンク間凸部をそれぞれに有した貯湯式給湯機において、前記右側面断熱材には、前記第一貯湯タンク側を覆う右側面断熱材前部と前記第二貯湯タンク側を覆う右側面断熱材後部と、前記左側面断熱材には、前記第一貯湯タンク側を覆う左側面断熱材前部と前記第二貯湯タンク側を覆う左側面断熱材後部とを有し、前記右側面断熱材は、前記右側面断熱材前部と前記左側面断熱材後部で前記断熱材の発泡倍率が異なり、前記左側面断熱材は、前記左側面断熱材前部と前記左側面断熱材後部で前記断熱材の発泡倍率が異なると共に、少なくとも右側面断熱材前部及び左側面断熱材前部の方が右側面断熱材及び左側面断熱材後部よりも発泡倍率が低くなるように、異なる発泡倍率の断熱材を一体に成型したものとした。
【０００９】
また、前記右側面断熱材の前記タンク間凸部は、前記右側面断熱材前部と略同一の発泡倍率の断熱材であり、前記右側面断熱材に一体に成型したものとし、前記左側面断熱材の前記タンク間凸部は、前記左側面断熱材前部と略同一の発泡倍率の断熱材であり、前記左側面断熱材に一体に成型したものとした。
【００１０】
また、前記貯湯タンクの発泡倍率は、前記給水管から前記出湯管までの温水が流れる経路に沿って連続的に低くなっていくようにした。
【発明の効果】
【００１１】
この発明によれば、比較的高温の温水を貯湯し、出湯管に近い貯湯タンク上部にのみ断熱性能の高い発泡倍率の低い右側面断熱材上部及び左側面断熱材上部で覆うことで、最も熱量を蓄えているタンク上部からの放熱を発泡倍率の低い断熱材で防止し断熱効果を高めることができると共に、発泡倍率が前記貯湯タンクの上下で異なる断熱材を一体に成型したものを右側面断熱材及び前記左側面断熱材とすることで、発泡倍率の異なる断熱材を複数製造するという部品点数の増加を抑え、工数が増えることで製造コストが上がってしまうのを防ぐことができる。
【００１２】
また、比較的高温の温水を貯湯する第一貯湯タンクには発泡倍率が低く断熱性能の高い右側面断熱材前部及び左側面断熱材前部で覆うことで、最も熱量を蓄えている第一貯湯タンクからの放熱を発泡倍率の低い断熱材で防止し断熱効果を高めることができると共に、発泡倍率の異なる断熱材である前記第一貯湯タンクの断熱材と前記第二貯湯タンクの断熱材とを一体に成型したものを右側面断熱材及び前記左側面断熱材とすることで、発泡倍率の異なる断熱材を複数製造するという部品点数の増加を抑え、工数が増えることで製造コストが上がってしまうのを防ぐことができる。
【００１３】
また、前記タンク間凸部は、前記第一貯湯の発泡倍率の低い前記右側面断熱材前部と前記左側面断熱材前部と略同一の断熱材なので、タンク第一貯湯タンクと第二貯湯タンクの同士で熱交換してしまい、貯湯タンク内の温水の温度成層が崩れてしまうのを確実に防止することができる。
【図面の簡単な説明】
【００１４】
【図１】本発明の第一実施形態の貯湯式給湯機の概略構成図
【図２】本発明の第一実施形態の貯湯式給湯機の概略構成図
【図３】本発明の第一実施形態の成型断熱材と貯湯タンクの構成図
【図４】本発明の第一実施形態の成型断熱材の構成図
【図５】本発明の第二実施形態の貯湯式給湯機の概略構成図
【図６】本発明の第二実施形態の成型断熱材と貯湯タンクの構成図
【図７】本発明の第二実施形態の成型断熱材の構成図
【図８】本発明の第二実施形態の断熱材を上方から見た分解断面図
【発明を実施するための形態】
【００１５】
次にこの発明の第１の実施形態を図面に基づいて説明する。
１は温水を貯湯するタンクユニット、２はヒートポンプ式の加熱手段で、加熱した温水をタンクユニット１に貯湯し、給湯要求があった時に給湯栓３から給湯するものである。
【００１６】
次に、前記タンクユニット１に付いて図２の概略図に基づいて説明すると、４は貯湯タンク、５は貯湯タンク４の下部に接続された給水管、６は貯湯タンク４の上部に接続された出湯管、７は給水管５の途中で分岐する給水バイパス管、８は出湯管６を流れる温水と給水バイパス管７を流れる市水を適宜の比率で混合して給湯設定温度に調整する給湯混合弁、９は給湯混合弁８で混合された混合水が流通する給湯管、１０は貯湯タンク４下部と加熱手段２の流入側を接続する加熱往き管、１１は貯湯タンク４上部と加熱手段２の流出側を接続する加熱戻り管、１２は加熱往き管１０の途中に設けられ、加熱手段２と貯湯タンク４内の温水を循環させて熱交換させる加熱循環ポンプである。
【００１７】
１３は給湯動作の運転制御を担う制御装置であり、制御装置１３には沸き上げ運転時の加熱循環ポンプ１２や加熱手段２の制御をして沸き上げ運転を行わせる沸き上げ運転制御手段１４が設けられている。
【００１８】
次に貯湯式給湯機の沸き上げ運転について説明する。
沸き上げ要求が発生すると沸き上げ運転制御手段１４は、加熱循環ポンプ１２を駆動すると共に、加熱手段２を駆動して、貯湯タンク４の下部から加熱往き管１０を介して取り出した貯湯タンク４下部の低温の温水を加熱手段２で加熱する。そして、予め決められた沸き上げ温度になるよう加熱手段２で加熱された温水が加熱戻り管１１を介して貯湯タンク４の上部から積層状に貯湯していき、循環ポンプ１２で循環しながら加熱を繰り返すことで、貯湯タンク４内を高温の湯にする。
【００１９】
次に給湯動作について説明する。給湯栓３が開かれて給湯がされると、給湯管９側の圧力が低下して給水管５からの給水が貯湯タンク４下部から供給され、貯湯タンク４上部の高温層の温水が出湯管６に押し出される。その一方、給水管５からの給水は給水バイパス管７を介して給湯混合弁８で出湯管６からの温水と混合されて、給湯管９を介して給湯栓３へ給湯されるものである。このように貯湯タンク４内部では、給湯動作が行われることにより下層側には給水管５からの水、上層には給水で押し上げられた湯となっていく。そして、貯湯タンク４上部が高温の湯となり、貯湯タンク４下部は低温の水となる。
【００２０】
次に第１の実施形態について図３及び図４を用いて説明する。
前記沸き上げ運転及び給湯動作により貯湯タンク４内の上部には高温層、下部には低温層の温水が貯湯される。一般的に温水を貯湯する貯湯タンク４からタンク外への放熱を防ぐため、耐熱性発泡ポリスチレンからなる断熱材で貯湯タンク４を覆う。前記断熱材は、貯湯タンク４の右半分を覆う右側面断熱材１５と左半分を覆う左側面断熱材１６とを組み合わせることで貯湯タンク４の側面を覆い、上面断熱材１７と下面断熱材１８で上下を覆うことで、貯湯タンク４の全周を覆っている。
【００２１】
そして、耐熱性発泡ポリスチレンからなる断熱材は、ポリスチレン樹脂と炭化水素系の発泡剤からなる原料ビーズを予備発泡させた後に金型に充填し加熱することによって約３０倍から８０倍に発泡させることで成型される。予備発泡状態で異なる発泡倍率にすることで発泡倍率の異なる断熱材を作ることができ、例えば第一実施形態のように断熱材の上下で発泡倍率を変えたものでは、低い倍率で予備発泡させたものを金型の上側に充填し、高い倍率で予備発泡させたものを金型の下側に充填して加熱することで、一つの断熱材に異なる発泡倍率の部分がある断熱材を成型することができ、断熱が特に必要な箇所の発泡倍率を低くすることで断熱性能の高い断熱材とすることができる。
【００２２】
また、高温層側では断熱性能が高く必要であるため発泡倍率を低くすることで、貯湯された高温の湯水の放熱を確実に抑制し、高温層側ほど湯水の放熱が多くない低温層側では、代わりに発泡倍率を高くし、少ないポリスチレンで断熱材を成型することで、断熱材の成型コストを削減することができる。
【００２３】
第１の実施形態では、右側面断熱材１５と左側面断熱材１６で側面を覆い、上面断熱材１７と下面断熱材１８で貯湯タンク４の上下を覆うことで、貯湯タンク４の全周を覆っている。また、右側面断熱材１５は上部を覆う右側面断熱材上部１５ａと下部を覆う右側面断熱材下部１５ｂとを一体に成型したものとする断熱材とし、右側面断熱材上部１５ａは発泡倍率が低い断熱材を用い、右側面断熱材下部１５ｂは右側面断熱材上部１５ａよりも発泡倍率の高い断熱材を用い、上下で発泡倍率が異なるようにしている。また、左側面断熱材１６も同様に上部を覆う左側面断熱材上部１６ａと下部を覆う左側面断熱材下部１６ｂを一体に成型したものとする断熱材である。
【００２４】
このように、出湯管６に近く比較的高温の温水が貯湯されている貯湯タンク４の上部には発泡倍率が低く断熱性能の高い右側面断熱材上部１５ａと左側面断熱材上部１６ａで覆い、給水管５に近く比較的低温の温水が貯湯されている貯湯タンク４の下部には発泡倍率が高く断熱性能の低い右側面断熱材下部１５ｂと左側面断熱材下部１６ｂで覆うように貯湯タンク４の発泡倍率を異なるようにすることで、貯湯タンク４上部の出湯管６に近く比較的高温の温水の断熱効果を高めることができると共に、右側面断熱材上部１５ａ及び右側面断熱材下部１５ｂと、左側面断熱材下部１６ａ及び左側面断熱材下部１６ｂとをそれぞれ一体に成型したものとすることで、発泡倍率の異なる断熱材を複数製造するという部品点数の増加を抑え、工数が増えることで製造コストが上がってしまうのを防ぐことができる。
【００２５】
次に、第２実施形態のタンクユニット１について図５の概略図に基づいて説明する。ここでは、第１の実施形態と同一のものは同一の符号を付してその説明を省略する 。
１９は第一貯湯タンク、２０は第二貯湯タンク、２１は第一貯湯タンク１９下部と第二貯湯タンク２０上部とを接続するタンク接続管、２２は第二貯湯タンク２０下部と加熱器２の流入側を接続する二側加熱器往き管、２３は第一貯湯タンク１９上部と加熱器２の流出側を接続する一側加熱器戻り管である。
【００２６】
二缶式の給湯機の沸き上げ運転について説明する。
第二貯湯タンク２０の下部から二側加熱器往管２２を経由して加熱器２に流入し、加熱器２によって高温に加熱された温水は二側加熱器戻り管２３を通って第一貯湯タンク１９に流入される。このように、加熱器２と第一及び第二収容タンクを循環させることで沸き上げを行う。また、第二貯湯タンク２０に貯湯される温水は、一度第一貯湯タンク１９に溜まってからタンク接続管２１を経由して、第二貯湯タンク２０に貯湯されるので、第一貯湯タンク１９には第二貯湯タンク２０の温水よりも放熱されていない比較的高温の温水が貯湯されることとなる。
【００２７】
次に、二缶式の給湯動作について説明する。
給湯栓３が開かれると給水による給水圧で第一貯湯タンク１９内のお湯が押し出され、第一貯湯タンク１９内に貯湯されていた湯と給水バイパス管７からの給水とを給湯混合弁８で混合し、混合した混合水を給湯栓３から給湯されるものである。このとき給湯と同時に、第一貯湯タンク１９から流出した湯の分だけタンク接続管２１を経由して、第二貯湯タンク２０の湯が第一貯湯タンク１９に流入し、第二貯湯タンク２０から流出した湯の分だけ給水管５から第二貯湯タンク２０に給水される。
【００２８】
そして、しばらく給湯を行うと第二貯湯タンク２０にたまっていた湯が給水圧によってすべて押し出された場合、タンク接続管２１を経由して第二貯湯タンク２０内にあった湯がすべて第一貯湯タンク１９に流入され、第一貯湯タンク１９には比較的高温の湯が溜まり、第二貯湯タンク２０内には給水した水だけが貯湯されることになる。
【００２９】
次に第２実施形態の断熱材について図６、図７を用いて詳しく説明します。
第２の実施形態では、右側面断熱材１５は出湯管６に近く比較的高温の温水が貯湯される第一貯湯タンク１９を覆う右側面断熱材前部１５ｃと、給水管５に近く比較的低温の温水が貯湯される第二貯湯タンク２０を覆う右側面断熱材後部１５ｄとからなる一体に成型したものとした断熱材とし、右側面断熱材前部１５ｃは発泡倍率が低い断熱材を用い、右側面断熱材後部１５ｄは右側面断熱材前部１５ｃよりも発泡倍率の高い断熱材を用い、タンク毎に発泡倍率が異なるようにしている。また、左側面断熱材１６も同様に出湯管６に近く比較的高温の温水が貯湯される第一貯湯タンク１９を覆う左側面断熱材前部１６ｃと給水管７に近く比較的低温の温水が貯湯される第二貯湯タンク２０を覆う左側面下部断熱材１６ｄとからなる一体に成型したものとした断熱材である。
【００３０】
また、図８はタンクユニット１を上方から見たときの分解断面図である。
隣合う第一貯湯タンク１９と第二貯湯タンク２０が熱交換して前記温度成層が崩れてしまうのを防ぐため、タンク同士が接触して熱交換しないように、右側面断熱材１５と左側面断熱材１６にそれぞれ一体に成型したものとするタンク間凸部２４である。タンク間凸部２４は、発泡倍率の低い右側面断熱材前部１５ｃ及び左側面断熱材前部１５ｄと略同一の発泡倍率の断熱材とすることで、発泡倍率が低く断熱性能が高いタンク間凸部２４でタンク同士の熱交換を確実に防ぐことができる。
【００３１】
このように、出湯管６に近く比較的高温の温水を貯湯する第一貯湯タンク１９には発泡倍率が低く断熱性能の高い右側面断熱材前部１５ｃと左側面断熱材前部１６ｃで覆い、給水管５に近く比較的低温の温水を貯湯する第二貯湯タンク２０には、右側面断熱材前部１５ｃよりも高い発泡倍率の右側面断熱材後部１５ｄと、左側面断熱材前部１６ｃよりも高い発泡倍率の左側面断熱材後部１６ｄとで覆うことで、第一貯湯タンク１９の比較的高温の温水の断熱効果を高めることができると共に、右側面断熱材前部１５ｃ及び右側面断熱材後部１５ｄと、左側面断熱材前部１６ｃ及び左側面断熱材後部１６ｄとを一体に成型するものとしたことで、発泡倍率の異なる断熱材を複数製造するという部品点数の増加を抑え、工数が増えることで製造コストが上がってしまうのを防ぐことができる。
【００３２】
なお、本発明は実施形態に限定されるものではなく、要旨を変更しない範囲で改変することを妨げるものではなく、例えば、第１の実施形態では、貯湯タンク４の温度成層を比較的高温の上部と比較的低温の下部で二つに分けて、発泡倍率の異なる二つの上部断熱材１５ａと下部断熱材１５ｂで構成されていたが、前記給水管から前記出湯管までの湯の流れの経路に沿って、連続的に発泡倍率が低くなっていく構成でも良い。
【００３３】
また、本発明の実施形態ではヒートポンプ式の加熱手段２で説明したが、ヒーターを備えた電気温水器でも良い。
【符号の説明】
【００３４】
１      タンクユニット
２      加熱器
４      貯湯タンク
５      給水管
６      出湯管
１５    右側面断熱材
１５ａ  右側面断熱材上部
１５ｂ  右側面断熱材下部
１５ｃ  右側面断熱材前部
１５ｄ  右側面断熱材後部
１６    左側面断熱材
１６ａ  左側面断熱材上部
１６ｂ  左側面断熱材下部
１６ｃ  左側面断熱材前部
１６ｄ  左側面断熱材後部
１７    上面断熱材
１８    下面断熱材
１９    第一貯湯タンク
２０    第二貯湯タンク
２１    タンク接続管
２２    二側加熱往き管
２３    一側加熱戻り管
２４    タンク間凸部
【図１】
2017145968.tif 000003
【図２】
2017145968.tif 000004
【図３】
2017145968.tif 000005
【図４】
2017145968.tif 000006
【図５】
2017145968.tif 000007
【図６】
2017145968.tif 000008
【図７】
2017145968.tif 000009
【図８】
2017145968.tif 000010